(57)【要約】この発明は、トライアックのゲートへの単一の短い期間のパルスであらゆる力率の負荷を動作させることにより、トライアックを制御しトリガするシステムに関する。単一のコンパレータ(CP1)を使用するために、また、電流レベル(Ic)で制限することなく動作させるために、トライアックを制御しトリガするシステムが予見され、前記トライアックはゲートを備え、かつ、負荷に接続され、ゲートは、制御ユニット４に接続され、 制御ユニットは、回路電圧Vacを負荷に印加して電流Icを流すためにトライアックを動作させ、システムは、ゲート電圧検出ユニット(１)、制御ユニット(４)、制御ユニット(４)に接続のゲート電圧検出ユニット(１)を備え、制御ユニットはゲート電圧限界値(＋LIMIT,−LIMIT)を確立し、トライアックの導通を維持するためゲートにパルスを発生させ、ゲートでのパルスは、前記電圧限界値と、ゲート測定電圧との比較から発生され、制御ユニットは、Icを測定し、Icに比例して電圧限界値を調節する。
2007517436.tif 000002
【特許請求の範囲】
【請求項１】
トライアック(TR)を制御し、トリガするシステムであり、前記トライアックはゲート(G)を備え、前記トライアックは負荷に接続され、前記ゲート(G)は、電源ユニット(３)に電気的に接続され、前記電源は、負荷に回路電圧(Vac)を選択的に供給し、負荷に電流(Ic)を流すトライアック(TR)を動作させ、前記システムは、
ゲート電圧を検出するための検出ユニット(１)と、
給電回路電圧のゼロ通過を検出するための検出ユニット(２)と、
電源ユニット(３)と、
制御ユニット(４)とを備え
前記電圧検出ユニット(１)は、制御ユニット(４)に電気的に接続され、
前記制御ユニット(４)は、ゲート(G)の電圧限界値(＋LIMIT、−LIMIT)を確立し、そして、トライアック(TR)を導通状態に維持するために、トライアックのゲート(G)にパルスを発生し、
ゲート(G)での前記パルスは、制御ユニット(４)により確立された電圧限界値(＋LIMIT、−LIMIT)と、ゲート電圧検出ユニット(１)からゲート(G)で測定された電圧との間で比較することにより発生されるシステム。
【請求項２】
制御ユニット(４)は、電流(Ic)を測定し、そして、測定された電流(Ic)の値に比例する電圧限界値(＋LIMIT、−LIMIT)を調節する請求項１記載のシステム。
【請求項３】
制御ユニット(４)は、予め設定された測定時間(tM)に、トライアック(TR)のゲート(G)でパルスを発生し、前記測定時間(tM)は、前記電流(Ic)のゼロ通過の前に、発生する請求項２記載のシステム。
【請求項４】
制御ユニット(４)は、電流センサ(５)からの電流値(Ic)を得る請求項２記載のシステム。
【請求項５】
限界値(＋LIMIT、−LIMIT)の調節は、±限界値 = k x Ic の数式によりなされ、ここでkは予め決定された比例定数である請求項２記載のシステム。
【請求項６】
限界値(＋LIMIT、−LIMIT)の調節は、制御ユニット(４)に格納の予め決定された値のテーブルによりなされる請求項２記載のシステム。
【請求項７】
ゲート(G)での電圧を検出する検出ユニット(１)は、トライアック(TR)のゲート(G)およびD/Aコンバータに電気的に接続さとれたコンパレータ(CP1)を備え、
前記コンパレータ(CP1)は、トライアック(TR)のゲート(G)での電圧およびD/Aコンバータにより発生された信号を受け取り、D/Aコンバータは、制御中央(４４)により発生されたデジタル信号を受け取り、制御中央(４４)により発生された信号は、調整電圧値を確立し、前記調整電圧値は、限定値(＋LIMIT、−LIMIT)に等しい請求項１記載のシステム。
【請求項８】
電源ユニット(３)を備え、前記電源ユニットは、制御ユニットに関係し、そして、制御中央(４４)からのコマンドにより、トライアック(TR)のゲートに、電圧パルスを発生する請求項７記載のシステム。
【請求項９】
制御ユニット(４)は、D/Aコンバータを備え、前記D/Aコンバータは調整電圧値を発生する請求項８記載のシステム。
【請求項１０】
制御中央(４４)がコンパレータ(CP1)の出力レベルの変化を検出した時、トライアック(TR)でパルスが発生される請求項８記載のシステム。
【請求項１１】
制御中央(４４)は、D/Aコンバータに、コンパレータ(CP1により受信された各変化に対し、正の限界値(＋LIMIT)から負の限界値(−LIMIT)への切り替えと、その逆への切り替えを命令する請求項８記載のシステム。
【請求項１２】
トライアック(TR)のゲート(G)の電圧が、抵抗分割器(R1,R2)により、コンパレータ(CP1)に印加される請求項８記載のシステム。
【請求項１３】
抵抗分割器(R1,R2)は、同じ値の抵抗により形成される請求項１２記載のシステム。
【請求項１４】
D/Aコンバータは、制御ユニット(４４)の内部にある請求項７記載のシステム。
【請求項１５】
コンパレータ(CP1)は、制御ユニット(４４)の内部にある請求項７記載のシステム。
【請求項１６】
電源制御ユニット(３)は、制御ユニット(４４)の内部にある請求項７記載のシステム。
【請求項１７】
トライアック(TR)をトリガする方法であり、前記トライアックは、ゲート(G)を備え、そして回路電圧(Vac)に電気的に接続され、
前記トライアック(TR)は、負荷へ回路電圧(Vac)を印加して、電流(Ic)を流すために、ゲート(G)へのパルスにより、選択的に動作され、
コンパレータ(CP1)は、トライアック(TR)のゲート(G)に関係し、
本方法は、ゲート(G)で電圧限界値(＋LIMIT、−LIMIT)が検出された時、ゲート(G)にパルスが印加され、前記パルスは、コンパレータ(CP1)での変化により発生され、前記コンパレータ(CP1)は、ゲート(G)での電圧限界値(＋LIMIT、−LIMIT)と、ゲート(G)で測定された電圧とを比較し、
コンパレータ(CP1)により受信された各変化に対し、コンパレータ(CP1)の入力を、正の限界値(＋LIMIT)から負の限界値(−LIMIT)へ切り替えるか、その逆に切り替えることを特徴とする方法。
【請求項１８】
ゲート(G)にパルスを印加する前に、負荷に流れる電流(Ic)を測定するステップが予見され、そして、
電流(Ic)のレベルに比例して、ゲートでの電圧限界値(＋LIMIT、−LIMIT)の値を調整する請求項１７記載の方法。
【請求項１９】
電圧限界値(＋LIMIT、−LIMIT)の値を調整するステップにおいて、等式 ±限界値＝ k x Ic が適用され、ここで k は比例定数である請求項１８記載の方法。
【請求項２０】
電圧限界値(＋LIMIT、−LIMIT)の値を調整するステップにおいて、予め設定された値のテーブルをリードするステップがある請求項１８記載の方法。
【請求項２１】
ゲート(G)への電圧パルスは、トライアック(TR)に流れる電流がラッチの値に到達するように十分となるような期間を持つ請求項１８記載の方法。
【請求項２２】
ゲート(G)の第１のパルスは、回路電圧(Vac)のゼロ通過の測定で命令される請求項２１記載の方法。
【請求項２３】
トライアック(TR)のトリガを制御する方法であり、トライアックは、ゲート(G)を備え、かつ、回路電圧(Vac)に電気的に接続され、
トライアック(TR)は、負荷に回路電圧(Vac)を印加して電流(Ic)を流すために、ゲート(G)へのパルス印加により、選択的に動作され、
本方法は、電流値(Ic)が最小値に達した時、ゲート(G)にパルスを印加し、トライアック(TR)のゲートにパルスを発生して、トライアックを導通に維持するために、トライアックのゲートゲート(G)に電圧限定値(＋LIMIT、−LIMIT)を確立するステップを備え、ゲート(G)でのパルスは、予め確立された測定時間(tM)に発生され、前記測定時間(tM)は、電流(Ic)のレベルがゼロを通過する前に発生し、そして
負荷に流れる電流(Ic)を測定するステップと、
電流(Ic)のレベルに比例して、ゲート(G)での電流限界値(＋LIMIT、−LIMIT)のレベルを調節するステップとを備えることを特徴とする方法。
【請求項２４】
前記電流(Ic)は連続的に測定される請求項２３記載の方法。
【請求項２５】
トライアック(TR1)のゲート(G)へパルスの印加するステップにおいて、ゲート(G)にパルスを発生させる際の遅延から、負荷の電圧レベルを調整することが予見される請求項２４記載の方法。
【発明の詳細な説明】
【発明の詳細な説明】
【０００１】
この出願は、2003年12月30日ファイルのブラジル特許 No.P10305983-9の優先権を主張し、その内容を引用してここに開示する。
【０００２】
この発明は、トライアックのゲートでの単一の短い周期のパルスにより、いずれかの力率で負荷を動作させることにより、トライアックのトリガを制御する方法、並びに、トライアックを制御し、そして、トリガするシステムに関する。
【０００３】
[従来技術の説明]
周知なように、トライアックは、負荷での電圧レベルを制御するために主に使用されるスイッチである。
【０００４】
トライアックを動作させるために、トライアックのメイン端子に流れる電流を、最小値(つまりラッチ電流)にさせることを可能にする時間間隔に対して、主端子に関して、ゲートから電流パルスを供給するか、流出させることが必要である。一旦、その電流がこの値に達すると、ゲートへのパルスは開放され、その電流が保持電流(つまり遮断電流)以下になるまで、電流は自然に導通する。電流が保持値に達した時に、その瞬間に、ゲートへの電流が供給されるか、ゲートから電流が流出すると、そのトライアックは再度、導通し、主端子間の電流がラッチ電流に達するまで、ゲート信号が再度維持されるなら、その状態に留まる。トライアックを通る電流がモニターされて、ゲートへのパルスが正確な瞬間に発生するなら、このサイクルはトライアックを導通状態に維持するために、無期限に繰り返されるかもしれない。負荷における有効な電圧または電流を制御するためにトリガ角の調節が望まれる時、トライアックの連続した導通を可能にすること以外に、コンポーネントを通る電流のモニターで適切なトリガ制御を可能にする。
【０００５】
現行の通過電流を瞬時にゼロにするためのトリガ処理を制御するために、トライアックの両端子に流れる電流をモニターする様々な方法がある。これらの方法の１つは、トライアックと直列の要素の手段(例えば、抵抗器)により、その抵抗器での電圧のリードの関数として電流をモニターし、電流がゼロ値に接近しているかを決定することである。電流のゼロをモニターする別の方法は、トライアックの主端子間の電圧を検出することである。しかし、この場合、端子間の電圧検出は、トライアックが既に開状態になっていることを示し、直ちにトリガされても、そのコンポーネントは、既に電流を切断している。トライアックによって電流をモニターするための最も効果的な方法は、主端子に対するゲートの電圧を測定することであり、その電圧は、主端子に流れる電流を反映する。この考えは、北米の特許文献 US 5,629,571 およびUS 5,734,289に説明されている。 Roudeskl (US 5,629,571)では、安価のマイクロコントローラを使用することによって、直接に回路を実施できないように、回路を制御するための他の種々の要素に加えて、２個のコンパレータが使用される。さらに、この文献に関する教えによると、トライアックのゲート電圧のモニターは、予見されている。しかしながら、この文献は、負荷で循環する電流の関数とした大きさに対し、調整可能な制御を開示しておらず、そのことは、負荷電流の制限された範囲の適用となる。
【０００６】
Khudoshin (US 5,734,289)では、２個のコンパレータが使用され、その実施はマイクロコントローラを用いてなされる。 しかしながら、ちょうど前のケースのように、この回路は、トライアックによる広範囲の電流値の広い範囲に対し、モニターすることを許可せず、これはトライアックのゲートでのコマンドで、または、ゲートでの長い持続時間パルスのコマンドで失敗を伴なう。
【０００７】
その回路の機能本質は、トライアックの主端子１に対するゲートで測定された電圧(これはトライアックに流れる電流を反映)を、予め固定された値(これは電圧の＋限界値または−限界値と呼ばれる)と比較することである。ゲートで測定された電圧が、＋限界値と−限界値との間にあれば、トライアックのゲートへの信号が発生される。２つの異なった値とゲートで測定された電圧を比べるために、回路は２個のアナログのコンパレータを使用する。図３は、＋限界である比較電圧の正の値とともに、２つの電流(I1 および I2 )がゼロを通過する瞬間に対応するゲートでの電圧カーブを示す。−LIMITの場合は、電流の上昇の間に、同じカーブが対称的に繰り替えされる。
【０００８】
TRIACの電圧が、電流の低下の間に、＋限界値(ゲート電圧が電流I1と同等となった時の瞬間t1、およびゲート電圧が別の電流I2と同等となった時の瞬間t2により示された値)に達した時、その回路は、トライアックのゲートに１つ以上のパルスを発生する。図３で理解されるように、電流値が高い程、コンパレータによる検出と、ゼロ通過との間の時間はより短い。
【０００９】
異なる検出時間の欠点は、制御ユニットが、トライアックのゲートを作動させるために、測定信号の分析とパワーステップの発動のための最小の時間を必要とし、そして、その時間が極めて短いなら、処理ユニットは、正確な瞬間に、タスクの作動化を達成できないという事実にある。他方では、その時間が長過ぎるなら、その制御ユニットは、トライアックを作動させるために、比例するかなりの広い信号を発生させなければならない。
【００１０】
したがって、この問題を解決するために、＋限界値および、＝限界値に対して、トライアックで期待される電流に基づき、より高い値およびより低い値を固定するのは可能であるが、予め設立された限界から外れたこの電流のどんな変化も上で説明した問題を伴うであろう。したがって、米国特許 US 5,629,571 および US 5,734,289で提案されたサーキットは、電流の制限された、予め設定され、制限された値の電流のみで動作が可能であるという欠点を持つことに気付くことができる。
【００１１】
[この発明の目的および簡単な説明]
トライアックの主端子を流れる電流がゼロを通過する間に、１つの短周期のパルスのみを用いて、トライアックを制御し、トリガするための回路を提供することを目的とする。その回路の特徴は、簡単で低コストの制御ユニットを用いることによる実施の可能性、回路の実施のために単一のアナログコンパレータの利用、極めて簡単なD/Aコンバータの利用、負荷電流および負荷の力率のいずれの値に対してもトライアックの十分な制御である。
【００１２】
従って、この発明の目的を達成するために、システムは、トライアックを動作させるために、制御ユニットを通じて、コンパレータの出力からレベル変化を検出すべきである。コンパレータはトライアックのゲートから電圧信号、および、D/Aコンバータからの電圧を受信し、そのD/Aコンバータは、制御ユニットにより制御され、そして、コンパレータ出力からのレベル変化は、負の状態から正の状態およびその逆(これもゲート電圧から測定)へのトライアックにより生じた電流の変化の間に、電流をラッチレベルに至ることを可能にする期間のパルスがトライアックのケートGに発生しなければならない瞬間を発生させる。
【００１３】
このように、制御ユニットは、コンパレータCP1により受信された各変化で、正の＋限界電圧から負の−限界電圧へ、およびその逆へ変化させるために、D/Aコンバータに命令する。単一の比較器は、従来技術で使用されていた対のコンパレータの代わりに使用され、そして、＋限界電圧と−限界電圧の２つのレベルを発生さてもよい。
【００１４】
従って、この発明の教示によれば、異なる電圧値について先に述べた問題を解決するために、＋電圧値、−電圧値は、負荷に流れる電流の値に比例して変更され、その結果、限界値および電流のゼロ通過との間の時間を固定時間にでき、トライアックを正確に動作できる。
【００１５】
このような＋限界および−限界のレベルの調整は、次の計算で得られる。
±限界値＝ k x Ic 
ここで k は、予め決定され、かつ、回路の特性の機能として調節されるべき比例定数、Icは、負荷電流。
【００１６】
＋限界および−限界の値を調整する別の方法は、制御ユニット４の中央制御４４に格納された予め確定した値のテーブルによる。そのテーブルでは、測定された負荷電流の値が入力され、そして、瞬間の状態に対して適用できる＋限界および−限界の値が確立される。
【００１７】
この発明の目的は、トライアック制御およびトリガシステムにより達成される。そのトライアツクはゲートを備え、そのトライアックは負荷に接続され、そのゲートは、負荷に回路電圧を選択的に印加し、負荷に電流を流すために、トライアックを制御する電源ユニットに電気的に接続され、システムは、ゲート電圧検出ユニット、電源ユニットおよび制御ユニットを備え、電圧検出ユニットは、制御ユニットに電気的に接続され、制御ユニットは、ゲート電圧限界値(＋LIMIT、−LIMIT)を確立し、かつ、トライアックを導通状態に維持するために、トライアックのゲートにパルスを発生させ、ゲートへのパルスは、制御ユニットにより発生された電圧限界値(＋LIMIT、−LIMIT)と、ゲート電圧検出ユニットによりゲートで測定された電圧との比較から発生される。制御ユニットは、更に電圧を測定し、そして、測定された電流値に比例して電圧限界値(＋LIMIT、−LIMIT)を調整する。
【００１８】
更に、この発明の教示によれば、狙いとしたその目的は、トライアックを制御し、トリガする方法により達成される。そのトライアックは、ゲートを備え、回路電圧に電気的に接続され、トライアックは、負荷に回路電圧を印加するために、ゲートでのパルスにより、選択的に能動化されて電流の通過を可能にし、コンパレータは、トライアックのゲートに関係し、その方法は、ゲートで電圧限界値(＋LIMIT、−LIMIT)が検出された時、ゲートへパルスを印加するステップを備え、そのパルスは、コンパレータの変化から発生され、そのコンパレータは、ゲートでの電圧限界値(＋LIMIT、−LIMIT)と、ゲートで測定された値とを比較し、コンパレータにより受信された各変化に対し、コンパレータの入力を、正の電圧限界(＋LIMIT)から負の電圧限界値(−LIMIT)へ切り替えるか、その逆に切り替える。その方法は更に、ゲートにパルスを印加する前に、負荷に流れる電流を測定し、そして、その電流レベルに比例して、ゲートでの電圧限界値(＋LIMIT、−LIMIT)のレベルを調節するステップを備える。
【００１９】
更に、この発明の教示によれば、上記目的は、トライアックを制御し、トリガする方法により達成される。そのトライアックは、ゲートを備え、そして、回路電圧に電気的に接続され、そのトライアックは、負荷に回路電圧を印加するために、ゲートでのパルスにより、選択的に能動化されて電流の通過を可能にし、その方法は、電流値が最小値の時に、ゲートへパルスを印加するステップを備え、ゲートでのそのパルスは、予め決定されていた測定時間に発生され、その測定時間は、電流がゼロを通過する前に発生し、そして、負荷に流れる電流を測定するステップと、その電流レベルに比例して、ゲートの電圧限界値(＋限界、−限界)のレベルを調節するステップとを備える。
【００２０】
この発明は、以下に説明する図面に関連して以下、より詳細に述べる。
図１によれば、この発明のトライアック制御およびトリガシステムは、本質的に、ゲートG電圧検出ユニット１、給電ネットワークからの電圧がゼロを通過したことを検出する検出ユニット２、電流センサ５、電源ユニット３、および制御ユニット４を備える。電流センサ５は、負荷と直列の低抵抗器またはホール効果センサで構成されてもよい。
【００２１】
電圧検出ユニット１は、抵抗R1とR2による抵抗分割器を備え、抵抗R1の入力部が、トライアックTRのGに接続され、抵抗R1とR2の接続点はコンパレータCP1の入力部に接続される。D/A コンバータ はコンパレータCP1の他の入力部と、中央制御４４に接続される。中央制御４４は、個別の部品により実施されてもよいが、好ましくは、マイクロプロセッサまたはマイクロコントローラが使用され、中央制御４４は、内部にコンパレータCP1を既に含む。
【００２２】
給電ネットワークの電圧のゼロ通過の検出のための検出ユニット２は、直流電圧VDCに関連づけられた保護ダイオードD1、D2を備え、回路電圧VACは、抵抗R4を通じて検出ユニット２に供給される。また、給電ネットワーク電圧のゼロ通過を検出するための検出ユニット２は、システムをターンオンするためにコマンドを受け取り、検出ユニット２およびコマンドの双方は、制御中央４４に関係する。
【００２３】
電源ユニット３は、制御中央と、抵抗R3を通じてトライアックTRのゲートとの間を相互に接続し、一方、制御ユニット４は、制御中央４４とD/Aコンバータを備える。追加的に電源スイッチ３３は、制御中央４４の内部にあってもよい。電源ユニット３は、トライアックを動作させるのに十分となる供給電流および／又はドレイン電流を供給できる半導体を備えてもよい。
【００２４】
制御ユニット４は、抵抗R4および保護ダイオードD1, D2により、中央制御４４のデジタル入力の接続を通じて、給電回路電圧のゼロ通過の信号を受け取り、また、トライアックTRのゲートGに関連したコンパレータからの信号、および回路をターンオンするコマンド信号を受け取る。出力として、制御中央４４は、トライアックTRのゲートGを動作させるために、パワースイッチ３３を通じて電源ユニット３に命令し、また、更に、コンパレータCP１の一方の入力部、例えばD/Aコンバータを通じて非反転の入力部での電圧値を決定する。コンパレータCP１の非反転入力部での入力は、いくつかの電圧レベル(これは例えば電圧制限値を調節する)で動作されるかも知れず、また、D/Aコンバータは、制御中央４４の内外で使用されてもよいので、D/Aコンバータは低解像度であつてもよい。
【００２５】
運転時、制御中央４４でターンオンのコマンドを受けた後、抵抗R4を通じて、制御中央４４により、給電回路電圧VACのゼロ通過を待つ。例えば、電流をラッチの値に達することを可能にするそのような期間に対してトライアックTRのゲートGでのパルスを発生すべき瞬間に、その検出は、回路電圧VACが負の状態から正の状態に変化した間になされる。同時に、もし、R1 = R2で、コンパレータCP１の出力がハイレベルになることを待機するなら、制御ユニット４４は、D/Aコンバータの出力が(＋限界値)/２の値に等しくすべきことを決定する。既述したように、ゲートGでの電圧が、この＋限界値および、−限界値に達した時、負荷の電流Icがトライアックの保持電流より高くなるように、＋限界値および、−限界値が設定される。
【００２６】
コンパレータCP１の出力がハイレベルに至った瞬間、電流Icがゼロとなるので、制御ユニット４は、電源ユニット３を通じて、トライアックTRのゲートGに新たなパルスを発生する。発生するパルスは、電流Icが再びラッチの値に達するのを保証するに十分となる持続時間を持つべきである。パルスの後、制御ユニット４は、D/Aコンバータの出力に対し、(−限界値)/2に等しい値を決定し、そして、コンパレータの出力が今回、ローレベルになり、トライアックTRのゲートGに新たなパルスを発生するまで、待機する。そして、回路をターンオンさせるコマンドがある限り、このサイクルは繰り返されるかもしれない。D/Aコンバータに対する制御は、制御中央４４により発生された信号から実行され、その制御中央は、次に、＋限界値および−限界値に等しい調整電圧を確立する。
【００２７】
トライアックTRによる広範囲の電圧値に対するシステムの能力は、回路電圧Icのリードにより補償され、そのことは、制御中央４４がこのリードされた電流Icの関数として、−限界値および＋限界値を修正することを可能にする。この解決は、２つのゲートGの電流限界値(＋LIMIT、−LIMIT)が使用されるので、単一のコンパレータCP１の使用を可能にする。
【００２８】
図４から、電流Icの関数として、D/Aコンバータを通じてコンパレータCP１に印加される電圧の修正の結果となり、可変であるゲート電圧値(＋LIMIT、−LIMIT)と、ゼロ通過との間の固定された時間または測定時間となり、制御ユニット４４の動作に対して十分であり、かつ、トライアックTRのゲートGに印加されるパルスの狭い幅の許可に対し十分となる。
【００２９】
この結果、電圧検出器５で検出された電流Icが大きい程、ゲート電圧の正および負の限界値(＋LIMIT、−LIMIT)の値の大きさがより高くなり、逆に、電流Icはより少なくなり、これらの値がより少ない程、トライアックTRをトリガするために、正確な幅のパルスを補償する。いずれの状況でも、狭い幅のパルスは、測定時間tMから常に作成され、ゲートGで発生されたパルスが所望の効果を持つことを保証するために、予め確立さるべきであり、また、電流Icのレベルが０を通過する前につねに発生されなくてはならないので、狭い幅のパルスは、ゲートGで発生されてもよい。
【００３０】
モニターされるのは、トライアックTRに流れる電流なので、トライアックTRの連続的なトリガに加え、負荷への回路電圧Vac全体を維持することにより、トライアックTRのゲートGでパルスを発生させる遅れから、負荷の力率に関係なく、電圧VACが、負荷における電圧値に調整されるのは、さらに可能である。
【００３１】
特にトライアックTRを制御する方法に関し、ゲートGでの電圧限界値(＋限界値、−限界値)が検出された時、ゲートGにパルスを印加するステップは、続行されるべきであり、パルスは、コンパレータCP１での変化から発生され、コンパレータCP１はゲートGでの電圧限界値(＋LIMIT、−LIMIT)および、ゲートGで測定された電圧を備え、そして、コンパレータCP１の入力を、コンパレータCP１により受信されたそれぞれの変化で、正の電圧限界(＋LIMIT)から負の限界値(−LIMIT)に切り替えるか、または、その逆に切り替える。
【００３２】
更に、ゲートでの電圧限界値(＋LIMIT、−LIMIT)を調整するステップは予見され、そのステップは、制御中央４４から ±限界値 = k x Ic の数式を適用することにより達成され、電流Icを測定するステップは連続的に実施される。
【００３３】
＋限界値および−限界値を調節する別のステップを実行する別の方法は、制御ユニット４の制御中央４４で格納された予め決定された値のテーブルによる。そのテーブルでは、負荷で測定された電流値が入力され、そして、瞬間の状況に適用されるべき＋限界値および−限界値が確立される。
【００３４】
好ましい実施例を述べてきた。当業者は、この発明の範囲が、可能な等価を含むことを理解すべきであり、可能な等価を含む付記のクレームの内容によってのみ、限定されることを理解すべきである。
【図面の簡単な説明】
【００３５】
【図１】この発明に基づくシステムの電気的なブロック図
【図２】システムの動作に関連した波形図
【図３】公知技術における変更された電流の関数として、単位時間あたりのゲート電圧を示す波形図
【図４】この発明の教示を適用して、変更された電流の関数として、単位時間あたりのゲート電圧を示す波形図であり、ゲートを動作させるための可変の限界基準値の調節を有する。
【符号の説明】
【００３６】
１：電圧検出ユニット
２：検出ユニット
３：電源ユニット
４：制御ユニット
５：電流センサ
３３：電源スイッチ
４４：制御中央
CP1：コンパレータ
TR：トライアック
G：ゲート
【図１】
2007517436.tif 000003
【図２】
2007517436.tif 000004
【図３】
2007517436.tif 000005
【図４】
2007517436.tif 000006
【国際調査報告】
2007517436.tif 000007
2007517436.tif 000008